(57)【要約】【課題】  ＯＮ・ＯＦＦスイッチのスイッチカバーを利用してケースやフック等を取り付けられるようにしたスイッチカバーを提供する。【解決手段】スイッチカバーの周縁部に取り付け受け部を一体に設け、この取り付け受け部に係合部（突起３）を設け、ケースやフック等に係止部を設け、その係止部に開口部６を穿設する。係合部（突起３）と係止部の開口部６を係合することによりケースやフック等を取り付け可能にしたことを特徴とするスイッチカバー。【選択図】図１
2010092826.tif 000002
【特許請求の範囲】
【請求項１】
スイッチカバーの周縁部に取り付け受け部を一体に設け、この取り付け受け部に係合部を設け、ケースやフック等に係止部を持たすことによりケースやフック等をスイッチカバーの周縁部に取り付け可能にしたことを特徴とするスイッチカバー。
【発明の詳細な説明】
【技術分野】
【０００１】  本発明は、ＯＮ・ＯＦＦスイッチのスイッチカバーを利用してケースやフックなどを取り付けられるようにしたスイッチカバーに関するものである。
【背景技術】
【０００２】  従来、スイッチカバーは、スイッチの取り付け金具や配線を隠しつつＯＮ・ＯＦＦスイッチの操作が出来るように中央部に開口の設けられたカバーが一般的に使用されている。
また、カバーの材質を合成樹脂や陶器，木製などにし、その表面を装飾し部屋のインテリア・デザインとして利用するものが市販されている
【特許文献１】特開２００５−５１４４号公報
【特許文献２】特開２００３−２４２８５１号公報
【発明の開示】
【発明が解決しようとする課題】
【０００３】  そのために、次のような問題点があった。
（イ）取り付け金具や配線の目隠しとしての使用。また、手を差し込まない為の安全カバーという目的でしか利用されていなかった。
（ロ）部屋の出入りに手を触れ、必ず目に留まる部分であるにも関わらず、その点を活かした用途で使用されるものが存在していなかった。
（ハ）スイッチカバーに絵や写真などを転写したものや、材質を木製や陶器などで製作し表面を立体的に装飾したものなど部屋のインテリアとしての目的を持たせたものは存在したが、機能性という観点に於いては要求を満たすものは存在していなかった。
本発明は、以上の問題点を解決しようとするものである。
【課題を解決するための手段】
【０００４】  スイッチカバーの周縁部に取り付け受け部を一体に設け、この取り付け受け部に係合部を設ける。また、ケースやフック等に係止部を設け、その係止部に開口部を穿設する。本発明は、以上の構成より課題を解決することを特徴とするスイッチカバーである。
【発明の効果】
【０００５】  以上のように、本発明のスイッチカバーによれば、
（イ）スイッチの取り付け金具や配線の目隠しとしての役割だけでなく、ケースやフックなどの取り付け補助具としても使用出来る。
（ロ）また従来、エアコン及び照明用のリモコンやキーの収納フック等を部屋の壁に取り付けるときには、壁に取り付け孔を加工して取り付ける以外に方法がなかったが、スイッチカバーを介することにより壁に孔を開けずに取り付けることが可能となる。
（ハ）部屋の出入りに必ず目に留まるという利点を活かす目的でケースやフックを取り付けることにより、収納場所が確定され物の紛失や忘れ防止という効果をもたらす。
例えとして、玄関ホールのスイッチカバー（１）にキーフック（９）を組み付けることにより外出時カギを忘れる心配がなくなる。リビングに照明用リモコン入れとしてケース（４）を組み付けることにより壁にある照明の主電源スイッチをＯＮにすると同時にリモコンを取り出して室内を移動し、部屋から出る際にはその逆の行動を行うことによりリモコンの定位置が常に決まりリモコンを紛失して探すといった煩わしさから解放される。また、お風呂場の脱衣所に設置されているスイッチカバー（１）にメガネ入れとしての袋ケース（１０）を組み付けることにより不安定な場所にメガネを置いて落下させ壊してしまうという心配もなくなる。
【発明を実施するための最良の形態】
【０００６】  以下、本発明の実施の形態を説明する。
（イ）中央部にＯＮ・ＯＦＦスイッチの操作穴を有するプラスチック等の合成樹脂から成形したスイッチカバー（１）の下部にカバーと一体になった取り付け受け板（２）を設ける。
（ロ）取り付け受け板（２）の下部に根元側が細くなったピン状の突起（３）から成る係合部をスイッチカバー（１）の表面側に向けて水平方向に２つ並べて設ける。
（ハ）また、プラスチック等の合成樹脂から成形したケース（４）の背面に一体となった取り付け係止板（５）を設ける。
（ニ）取り付け係止板（５）の上部に円形部と円形部の直径より狭い長孔部が連続したダルマ孔状の開口部（６）を水平方向に２つ並べて穿設する。
本発明は以上のような構成である。【０００７】  本発明を使用する時は、既存のスイッチカバーを取り外し本発明のスイッチカバー（１）に付け替える。スイッチカバー（１）と一体となった取り付け受け板（２）の下部に設けてある２つの突起（３）をケース（４）と一体となった取り付け係止板（５）に設けてあるダルマ孔状の開口部（６）へ通し、開口部（６）の長孔部の方へ突起（３）が組み付くようにケース（４）をスライドさせて係合させる。【０００８】  図４は、図１のスイッチカバー（１）の取り付け受け板（２）に設けた突起（３）とケース（４）の取り付け係止板（５）に設けたダルマ孔状の開口部（６）に代わる組み付け構造を示した実施例である。図１のスイッチカバー（１）の下部に取り付け受け板（２）を設け、その表面に鉄から成る金属の板（７）を設ける。ケース（４）の背面に取り付け係止板（５）を設け、取り付け係止板（５）の裏面に板状の磁石（８）を設ける。組み付ける時は、取り付け受け板（２）に設けた金属の板（７）と取り付け係止板（５）に設けた磁石（８）を吸着させ係合させる。【０００９】  図５は、図１のケース（４）に代わるものとしてキーフック（９）を用いた場合の実施例である。プラスチック等の合成樹脂で形成されたキーフック（９）の背面に一体となった取り付け係止板（５）を設け、その取り付け係止板（５）の上部に円形部と円形部の直径より狭い長孔部が連続したダルマ孔状の開口部を水平方向に２つ並べて穿設する。使用する時は、図１のスイッチカバー（１）の下部に一体となった取り付け受け板（２）に設けられた係合部の突起（３）を取り付け係止板（５）のダルマ孔状の開口部（６）へ通し、開口部（６）の長孔部の方へ突起（３）が組み付くようにケース（４）をスライドさせて係合させる。【００１０】  図６は、図１のケース（４）に代わるものとして、ナイロン等の合成繊維から成る袋ケース（１０）を用いた場合の実施例である。袋ケース（１０）の背面に取り付け係止板（５）を設け、図５のキーフック（９）の場合と同様に取り付け係止板（５）の上部に円形部と円形部の直径より狭い長孔部が連続したダルマ孔状の開口部（６）を水平方向に２つ並べて穿設する。なお、袋ケース（１０）と取り付け係止板（５）は、プラスチック等の合成樹脂から成る取り付け支持板（１１）を介して一体となる。使用する時は、図１のスイッチカバー（１）の下部に一体となった取り付け受け板（２）に設けられた係合部の突起（３）を取り付け係止板（５）のダルマ孔状の開口部（６）へ通し、開口部（６）の長孔部の方へ突起（３）が組み付くようにケース（４）をスライドさせて係合させる。
【図面の簡単な説明】
【００１１】
【図１】本発明のスイッチカバーにケースを組み付けた状態の斜視図である。
【図２】本発明のスイッチカバーとケースの分解斜視図である。
【図３】本発明のスイッチカバーとケースが突起と開口部によって組み付けられた状態の断面図である。
【図４】本発明の係合部を金属の板と磁石に変更した場合の断面図である。
【図５】本発明のキーフックの場合における斜視図である。
【図６】本発明の袋ケースの場合における斜視図である。
【符号の説明】
【００１２】  １  スイッチカバー
２  取り付け受け板
３  突起
４  ケース
５  取り付け係止板
６  開口部
７  金属の板
８  磁石
９  キーフック
１０  袋ケース
１１  取り付け支持板
【図１】
2010092826.tif 000003
【図２】
2010092826.tif 000004
【図３】
2010092826.tif 000005
【図４】
2010092826.tif 000006
【図５】
2010092826.tif 000007
【図６】
2010092826.tif 000008